【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
eCall専用モードのユーザ機器(UE)の無線アクセス技術(RAT)間モビリティをサポートするための方法であって、
前記UEによって、第1のeCallまたは第1のテスト/再構成呼のための通信セッションを確立するステップと、
前記UEによって、前記第1のeCallまたは前記第1のテスト/再構成呼のための前記通信セッションを解放するステップと、
前記UEによって、(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、ロングタームエボリューション(LTE)アクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始するステップと、
前記UEによって、前記第1のタイマーが満了したときにeCall非アクティビティ手順を実行するステップであって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、ステップと
備える方法。
【請求項２】
前記第1のタイマーを開始する前記ステップが、前記通信セッションに関する前記UMTSアクセスのための前記PSシグナリング接続の前記解放に基づき、前記方法が、
前記UEによって、LTEアクセスを使用する前記通信セッションを確立するステップと、
前記UEによって、前記LTEアクセスから前記UMTSアクセスへの前記通信セッションのハンドオーバを実行するステップと、
前記UEによって、前記UMTSアクセスを使用する前記通信セッションを解放するステップと
をさらに備える、請求項1に記載の方法。
【請求項３】
前記第1のタイマーが満了したときに前記eCall非アクティビティ手順を実行する前記ステップが、前記第1のタイマーが満了し、前記UEが、前記UMTSアクセスに対して、回線交換(CS)アイドル状態、PS登録アイドル状態、PS未登録状態、PSヌル状態、またはこれらの任意の組合せのうちの少なくとも1つであるときに前記eCall非アクティビティ手順を実行するステップを備える、請求項2に記載の方法。
【請求項４】
前記ワイヤレスネットワークからデタッチする前記ステップが、国際モバイル加入者識別情報(IMSI)デタッチまたは複合GPRSデタッチを実行するステップを備える、請求項3に記載の方法。
【請求項５】
前記第1のタイマーを開始する前記ステップが、GPRSのための前記READYタイマーの前記満了に基づき、前記方法が、
前記UEによって、LTEアクセスを使用する前記通信セッションを確立するステップと、
前記UEによって、前記LTEアクセスから前記GSM(登録商標)-GPRSアクセスへの前記通信セッションの前記PSハンドオーバを実行するステップと、
前記UEによって、前記GSM(登録商標)-GPRSアクセスを使用する前記通信セッションを解放するステップと
をさらに備える、請求項1に記載の方法。
【請求項６】
前記第1のタイマーが満了したときに前記eCall非アクティビティ手順を実行する前記ステップが、前記第1のタイマーが満了し、前記UEが、前記GSM(登録商標)-GPRSアクセスに対して、CSアイドル状態、READYタイマーが動作中ではないPS登録状態、PS未登録状態、PSヌル状態、またはこれらの任意の組合せのうちの少なくとも1つであるときに前記eCall非アクティビティ手順を実行するステップを備える、請求項5に記載の方法。
【請求項７】
前記ワイヤレスネットワークからデタッチする前記ステップが、IMSIデタッチまたは複合GPRSデタッチを実行するステップを備える、請求項6に記載の方法。
【請求項８】
前記第1のタイマーを開始する前記ステップが、前記LTEアクセスから前記GSM(登録商標)-GPRSアクセスまたは前記UMTSアクセスへの前記システム間変更に基づき、前記方法が、
前記UEによって、前記LTEアクセスを使用する前記通信セッションを確立するステップと、
前記UEによって、前記LTEアクセスを使用する前記通信セッションを解放するステップと、
前記UEによって、前記LTEアクセスを使用する前記通信セッションの前記解放に基づいて、第2のタイマーを開始するステップと、
前記UEによって、前記LTEアクセスから前記GSM(登録商標)-GPRSアクセスまたは前記UMTSアクセスへの前記システム間変更を実行するステップと、
前記UEによって、前記LTEアクセスから前記GSM(登録商標)-GPRSアクセスまたは前記UMTSアクセスへの前記システム間変更の後に前記第2のタイマーに残された時間を用いて前記第1のタイマーを開始するステップと、
前記UEによって、前記第2のタイマーを停止するステップと
をさらに備える、請求項1に記載の方法。
【請求項９】
前記第1のタイマーが満了したときに前記eCall非アクティビティ手順を実行する前記ステップが、前記第1のタイマーが満了し、前記UEが、CSアイドル状態、PS未登録状態、PSヌル状態、READYタイマーが動作中ではないPS登録状態、PS登録アイドル状態、またはこれらの任意の組合せのうちの少なくとも1つであるときに前記eCall非アクティビティ手順を実行するステップを備える、請求項8に記載の方法。
【請求項１０】
前記ワイヤレスネットワークからデタッチする前記ステップが、IMSIデタッチまたは複合GPRSデタッチを実行するステップを備える、請求項9に記載の方法。
【請求項１１】
前記第1のタイマーを開始する前記ステップが、前記GSM(登録商標)アクセスまたは前記UMTSアクセスから前記LTEアクセスへの前記システム間変更に基づき、前記方法が、
前記UEによって、前記GSM(登録商標)アクセスまたは前記UMTSアクセスを使用する前記通信セッションを確立するステップと、
前記UEによって、前記GSM(登録商標)アクセスまたは前記UMTSアクセスを使用する前記通信セッションを解放するステップと、
前記UEによって、前記GSM(登録商標)アクセスまたは前記UMTSアクセスを使用する前記通信セッションの解放に基づいて、第2のタイマーを開始するステップと、
前記UEによって、前記GSM(登録商標)アクセスまたは前記UMTSアクセスから前記LTEアクセスへの前記システム間変更を実行するステップと、
前記UEによって、前記GSM(登録商標)アクセスまたは前記UMTSアクセスから前記LTEアクセスへの前記システム間変更の後に前記第2のタイマーに残された時間を用いて前記第1のタイマーを開始するステップと、
前記UEによって、前記第2のタイマーを停止するステップと
をさらに備える、請求項1に記載の方法。
【請求項１２】
前記第1のタイマーが満了したときに前記eCall非アクティビティ手順を実行する前記ステップが、前記第1のタイマーが満了し、前記UEが前記LTEアクセスに対してアイドル状態であるときに前記eCall非アクティビティ手順を実行するステップを備える、請求項11に記載の方法。
【請求項１３】
前記ワイヤレスネットワークからデタッチする前記ステップが、デタッチまたは複合デタッチを実行するステップを備える、請求項12に記載の方法。
【請求項１４】
実行されると、少なくとも１つのコンピュータに請求項１乃至１３の何れか一項に記載の方法を実施させるための実行可能な命令を含む、コンピュータプログラム。
【請求項１５】
eCall専用モードのユーザ機器(UE)の無線アクセス技術(RAT)間モビリティをサポートするための装置であって、
前記UEの処理するための手段を備え、前記手段が、
第1のeCallまたは第1のテスト/再構成呼のための通信セッションを確立することと、
前記第1のeCallまたは前記第1のテスト/再構成呼のための前記通信セッションを解放することと、
(i)前記UEによる前記通信セッションに関するユニバーサルモバイルテレコミュニケーションズサービス(UMTS)アクセスのためのパケット交換(PS)シグナリング接続の解放、(ii)前記UEにおける汎用パケット無線サービス(GPRS)のためのREADYタイマーの満了であって、前記READYタイマーは、LTEアクセスからモバイル通信用グローバルシステム(GSM(登録商標))-GPRSアクセスへの前記通信セッションのPSハンドオーバの後に前記UEによって開始されたものである、READYタイマーの満了、(iii)前記UEによるLTEアクセスからGSM(登録商標)-GPRSアクセスまたはUMTSアクセスへのシステム間変更、あるいは(iv)前記UEによるGSM(登録商標)アクセスまたはUMTSアクセスからLTEアクセスへのシステム間変更のうちの少なくとも1つに基づいて、第1のタイマーを開始することと、
前記第1のタイマーが満了したときにeCall非アクティビティ手順を実行することであって、前記eCall非アクティビティ手順は、ワイヤレスネットワークからデタッチすることと、第2のeCallまたは第2のテスト/再構成呼がない場合にシグナリングを前記ワイヤレスネットワークに送信するのを控えることとを備える、ことと
を行うように構成される、装置。